(57)【要約】【課題】  可撓性ケーブル部材の取り廻しに必要とされる内部スペースを減少させて、筐体全体の外寸法を小さく設定出来る液晶モジュール構造を提供する。【解決手段】    上ケース１５の一側辺１５ａの内側壁面１５ｂには、一側辺１５ａの略全幅に渡り、同一形状で湾曲された曲面が形成されている。  下ケース本体１６ａの一側辺１６ｄには、この内側壁面１５ｂの内側に位置するように、合わせ面１６ｃが形成されている。  上ケース１５と下ケース１６とを合わせて、筐体２０が構成される際に、前記上ケース１５の内側壁面１５ｂと、この内側壁面１５ｂの内側に位置する前記下ケース１６の一側辺１６ｄの合わせ面１６ｃとの間に、略一定の間隙を有して、ＦＰＣ１２が、液晶パネル部材２２から剥離しないように保持される湾曲スリット２１が形成されている。  【選択図】        図１
2006215438.tif 000002
【特許請求の範囲】
【請求項１】
上ケースと下ケースとを合わせて、液晶パネル部材を収納する液晶モジュール構造であって、
前記液晶パネル部材の端縁から延出される可撓性ケーブル部材を、前記上ケースの内側壁面と、該内側壁面の内側に位置する前記下ケースの一側辺の合わせ面との間に形成された湾曲スリットによって、所定の円弧で保持することを特徴とする液晶モジュール構造。
【請求項２】
前記湾曲スリットの液晶パネル部材側出口部には、前記可撓性ケーブル部材の上下方向位置を、前記液晶パネル部材の端縁の該可撓性ケーブル部材が延出される上下方向位置と一致させるように規制する位置規制部が設けられていることを特徴とする請求項１記載の液晶モジュール構造。
【請求項３】
前記湾曲スリットの液晶パネル部材側出口部近傍には、前記液晶パネル部材の端縁の延設方向と平行となるように、該可撓性ケーブル部材が延出された部分を直線状に保持する平行区間部が設けられていることを特徴とする請求項１又は２記載の液晶モジュール構造。
【請求項４】
前記下ケースは、前記可撓性ケーブル部材の他端部が接続された回路基板を保持する下ケース本体であることを特徴とする請求項１乃至３のうち何れか一項記載の液晶モジュール構造。
【請求項５】
前記下ケースは、前記液晶パネル部材を照明する照光を導く導光部材を有し、該導光部材の一部で、前記合わせ面を形成することを特徴とする請求項１乃至４のうち何れか一項記載の液晶モジュール構造。
【発明の詳細な説明】
【技術分野】
【０００１】
本発明は、ケース全体の外寸法を小さく設定出来る液晶モジュール構造に関する。
【背景技術】
【０００２】
従来、液晶モジュール構造として、例えば、図３及び図４に示すようなものが知られている（例えば、非特許文献１等参照）。
【０００３】
まず、構成から説明すると、このようなものでは、図３に示すような液晶モジュール１を構成する液晶パネル部材２が、図４に示すように、回路基板３と共に、上ケース５と下ケース６とを合わせて構成される筐体４内に収納されている。
【０００４】
このうち、液晶パネル部材２を構成する下側液晶ガラス部材７は、上側液晶ガラス部材８との間に、透明導電性フィルム９，９等を介して上，下両側から挟持されると共に、周縁をシール材１１によって封止された液晶１０が密封状態で、重合されている。
【０００５】
また、この下側液晶ガラス部材７の一側辺７ａは、前記上側液晶ガラス部材８の一側端８ａよりも外側方に一定寸法突設されている。
【０００６】
そして、この一側辺７ａの液晶側一側面には、ＦＰＣ（フレキシブルプリンテッドサーキット）１２の一端１２ａが、導電性接着材１３及び紫外線硬化性樹脂１４等によって固定されている。
【０００７】
このような従来の液晶モジュール１では、図４に示すように、一般に、前記液晶パネル部材２から延出される前記ＦＰＣ１２の他端１２ｂを、下ケース６に装着された前記回路基板３に接続するため、一定の寸法Ｗ２を、上ケース５の壁部内側面５ａと前記一側辺７ａとの間に確保して、前記ＦＰＣ１２を比較的大きな円弧で湾曲させることにより、筐体４内部に格納する様に構成されている。
【０００８】
なお、他の車両用の表示装置として、ＦＰＣ１２をケース内に屈曲させて収納したものも知られている（例えば、特許文献１等参照）。
【特許文献１】特許公開２００２−１３２１８２号公報
【非特許文献１】スリーボンド  テクニカルニュース  平成６年５月１日発行
【発明の開示】
【発明が解決しようとする課題】
【０００９】
しかしながら、このような従来の液晶モジュール構造では、前記ＦＰＣ１２の一端１２ａが、導電性接着材１３及び紫外線硬化性樹脂１４等によって、下側液晶ガラス７の一側辺７ａの液晶側一側面に固定されている。
【００１０】
このため、例えば、金属配線を金属端子に半田付けするものに比して、剥離強度は弱い。一例として、前記導電性接着材１３の接着力が、１ｍ幅で、５００Ｎのみであるものを使用すると、実際に約３０ｍｍ幅以下の接着面積のみが確保可能な前記下側液晶ガラス部材７の一側辺７ａ等では、１５Ｎ程度の剥離強度となってしまう。
【００１１】
よって、一側辺７ａ近傍で急な折曲となり、前記ＦＰＣ１２にこじる力が加わることがないように、比較的大きな円弧で湾曲させる取り廻しを行う必要が生じ、前記上ケース５の壁部内側面５ａと前記一側辺７ａとの間に一定の寸法Ｗ２を確保しなければならなかった。
【００１２】
従って、寸法Ｗ２を減少させることが困難で、筐体４全体の外寸法が大きくなってしまうといった問題があり、この液晶モジュール１に他の部品等を近接配置する必要がある車両用メータでは、他の部品等との間に間隙が生じて、外観品質を低下させてしまう虞もあた。
【００１３】
そこで、本発明は、かかる課題を解決するためなされたもので、可撓性ケーブル部材の取り廻しに必要とされる内部スペースを減少させて、筐体全体の外寸法を小さく設定出来る液晶モジュール構造を提供することを目的とする。
【課題を解決するための手段】
【００１４】
前記課題を解決するため本発明の請求項１に係る発明では、上ケースと下ケースとを合わせて、液晶パネル部材を収納する液晶モジュール構造であって、前記液晶パネル部材の端縁から延出される可撓性ケーブル部材を、前記上ケースの内側壁面と、該内側壁面の内側に位置する前記下ケースの一側辺の合わせ面との間に形成された湾曲スリットによって、所定の円弧で保持する液晶モジュール構造を特徴としている。
【００１５】
また、請求項２に記載されたものは、前記湾曲スリットの液晶パネル部材側出口部には、前記可撓性ケーブル部材の上下方向位置を、前記液晶パネル部材の端縁の該可撓性ケーブル部材が延出される上下方向位置と一致させるように規制する位置規制部が設けられている請求項１記載の液晶モジュール構造を特徴としている。
【００１６】
更に、請求項３に記載されたものは、前記湾曲スリットの液晶パネル部材側出口部近傍には、前記液晶パネル部材の端縁の延設方向と平行となるように、該可撓性ケーブル部材が延出された部分を直線状に保持する平行区間部が設けられている請求項１又は２記載の液晶モジュール構造を特徴としている。
【００１７】
そして、請求項４に記載されたものは、前記下ケースは、前記可撓性ケーブル部材の他端部が接続された回路基板を保持する下ケース本体である請求項１乃至３のうち何れか一項記載の液晶モジュール構造を特徴としている。
【００１８】
また、請求項５に記載されたものは、前記下ケースは、前記液晶パネル部材を照明する照光を導く導光部材を有し、該導光部材の一部で、前記合わせ面を形成する請求項１乃至４のうち何れか一項記載の液晶モジュール構造を特徴としている。
【発明の効果】
【００１９】
このように構成された本発明の請求項１に記載のものは、前記上ケースと下ケースとを合わせて、液晶パネル部材を収納すると、前記湾曲スリットが、前記可撓性ケーブル部材を所定の円弧形状で保持する。
【００２０】
このため、前記可撓性ケーブル部材がこじれて、前記液晶パネル部材の端縁から剥離する方向に力が加わる虞を減少させることが出来、ＦＰＣの取り廻しに必要とされる内部スペースを減少させて、筐体全体の外寸法を小さく設定出来る。
【００２１】
また、請求項２に記載のものは、前記湾曲スリットの液晶パネル部材側出口部に設けられた位置規制部が、前記可撓性ケーブル部材の上下方向位置を、前記液晶パネル部材の端縁の該可撓性ケーブル部材が延出される上下方向位置と一致させるように規制する。
【００２２】
このため、更に、前記可撓性ケーブル部材に、上下方向へ剥離させる力が働く虞が無く、前記湾曲スリットの曲率を小さく設定して、更に、筐体全体の外寸法を小さく設定出来る。
【００２３】
更に、請求項３に記載のものは、前記湾曲スリットの液晶パネル部材側出口部近傍に設けられた平行区間部が、前記液晶パネル部材の端縁に固定された可撓性ケーブル部材を、液晶パネル部材と平行となるように、保持する。
【００２４】
このため、更に、前記可撓性ケーブル部材に、上下方向へ剥離させる力が働く虞が無く、前記湾曲スリットの曲率を小さく設定して、更に、筐体全体の外寸法を小さく設定出来る。
【００２５】
そして、請求項４に記載のものは、前記下ケース本体に、前記可撓性ケーブル部材の他端部が接続された回路基板を保持して、上下ケース本体を合わせることにより、前記可撓性ケーブル部材が、湾曲スリット内に保持される。
【００２６】
このため、容易に可撓性ケーブル部材が固定された液晶パネル部材と共に、該回路基板を上ケースと下ケースとを合わせた筐体内に収納できる。
【００２７】
更に、請求項５に記載されたものは、前記下ケースに設けられた前記液晶パネル部材を照明する照光を導く導光部材の一部によって、前記合わせ面が形成されるので、別途、下ケースに合わせ面を構成する部分や、或いは別部材を設ける必要が無く、部品点数の増大を抑制できる。
【発明を実施するための最良の形態】
【００２８】
以下、図１及び図２を用いて、発明を実施するための最良の形態の液晶モジュール構造を説明する。なお、前記従来例と同一乃至均等な部分については、同一符号を付して説明する。
【００２９】
まず、構成から説明すると、この実施の形態の液晶モジュール構造では、図１に示すようなＤＳＴＮ方式の液晶パネル部材２２が、回路基板３と共に、上ケース１５と下ケース１６とを合わせて構成される筐体２０内に収納されて、液晶モジュール１００が、主に構成されている。
【００３０】
このうち、液晶パネル部材２２を構成する下側液晶ガラス部材７は、上側液晶ガラス部材８との間に、透明導電性フィルム９等を介して上，下側から挟持されると共に、周縁を図示省略のシール材によって封止された液晶１０が密封されて重合されている。
【００３１】
また、この下側液晶ガラス部材７の一側辺７ａは、前記上側液晶ガラス部材８の一側端８ａよりも外側方に一定寸法突設されている。
【００３２】
そして、この一側辺７ａの液晶側一側面には、可撓性ケーブル部材としてのＦＰＣ（フレキシブルプリンテッドサーキット）１２の一端１２ａが、導電性接着材１３等によって固定されている。
【００３３】
このＦＰＣ１２の他端１２ｂは、前記下ケース１６を構成する下ケース本体１６ａの下面側１６ｂに保持される回路基板３に、接続されている。
【００３４】
また、前記上ケース１５の一側辺１５ａの内側壁面１５ｂには、一側辺１５ａの略全幅に渡り、同一形状で湾曲された曲面が形成されている。
【００３５】
更に、前記下ケース本体１６ａの一側辺１６ｄには、この内側壁面１５ｂの内側に位置するように、合わせ面１６ｃが形成されている。
【００３６】
そして、これらの上ケース１５と下ケース１６とを合わせて、筐体２０が構成される際に、前記上ケース１５の内側壁面１５ｂと、この内側壁面１５ｂの内側に位置する前記下ケース１６の一側辺１６ｄの合わせ面１６ｃとの間に、略一定の間隙を有する湾曲スリット２１が形成されるように構成されている。
【００３７】
この実施の形態の湾曲スリット２１は、緩い曲線を描いて約９０度、湾曲されるように形成されている。
【００３８】
また、この湾曲スリット２１の液晶パネル部材側出口部には、前記ＦＰＣ１２の上下方向位置を、前記液晶パネル部材２２の一側辺７ａの液晶側一側面から、ＦＰＣ１２が延出される上下方向位置と、一致させるように規制する位置規制部２１ａが設けられていて、前記ＦＰＣ１２を上下から挟持するように構成されている。
【００３９】
更に、この実施の形態の前記湾曲スリット２１の液晶パネル部材側出口部近傍で、前記のものは、一側辺１６ｄ寄りには、前記液晶パネル部材２２の一側辺７ａの延設方向と平行となるように、このＦＰＣ１２が延出された部分を直線状に保持する平行区間部２１ｂが設けられている。
【００４０】
そして、前記液晶パネル部材２２の一側辺７ａから延出されるＦＰＣ１２が、一旦、直線状に延出されると共に、この湾曲スリット２１内では、略９０度、緩やかに所定の円弧を描いて保持されるように構成されている。 
【００４１】
次に、この実施例１の液晶モジュール構造の作用について説明する。
【００４２】
このように構成された本発明の実施例１の液晶モジュール構造では、前記上ケース１５と下ケース１６とが合わせられて、液晶パネル部材２２が、筐体２０内に収納されると、前記上ケース１５の内側壁面１５ｂと、この内側壁面１５ｂの内側に位置する前記下ケース１６の一側辺１６ｄの合わせ面１６ｃとの間に、湾曲スリット２１の間隙が形成されて、この間隙に沿って前記ＦＰＣ１２が、取り廻されることにより、前記ＦＰＣ１２が所定の円弧形状で、この湾曲スリット２１によって保持される。
【００４３】
このため、前記ＦＰＣ１２がこじれて、前記液晶パネル部材２２の一側辺７ａから剥離する方向に力が加わる虞を減少させることが出来、ＦＰＣ１２の取り廻しに必要とされる内部スペース（Ｗ１＜Ｗ２）を減少させて、筐体２０全体の外寸法Ｗ３を小さく設定出来る。
【００４４】
また、前記湾曲スリット２１の液晶パネル部材側出口部に設けられた位置規制部２１ａが、前記ＦＰＣ１２の上下方向位置を、前記液晶パネル部材２２の一側辺７ａの液晶側一側面からＦＰＣ１２が延出される上下方向位置と一致させるように規制する。
【００４５】
このため、更に、前記ＦＰＣ１２に、上下方向へ剥離させる力が働く虞が無く、前記湾曲スリット２１の曲率を小さく設定して、更に、筐体２０全体の外寸法Ｗ３を小さく設定出来る。
【００４６】
更に、前記湾曲スリット２１の液晶パネル部材側出口部近傍に設けられた平行区間部２１ｂが、前記液晶パネル部材２２の一側辺７ａに一端１２ａが固定されたＦＰＣ１２を、液晶パネル部材２２と平行となるように、保持する。
【００４７】
このため、更に、前記ＦＰＣ１２に、上下方向へ剥離させる力が働く虞が無く、前記湾曲スリット２１の曲率を小さく設定して、湾曲スリット２１を前記一側辺１６ｄの隅部近傍に近接形成出来、この点においても、筐体２０全体の外寸法Ｗ３を小さく設定出来る。
【００４８】
従って、他の部品や側壁等と干渉することなく、隙間等を減少させることができると共に、デザインの自由度も向上させることができる。
【００４９】
そして、前記下ケース本体１６ａの下面側１６ｂに、前記ＦＰＣ１２の他端１２ｂが接続された回路基板３を保持して、上，下ケース本体１５，１６を合わせることにより、筐体２０を組み立てるだけで、前記ＦＰＣ１２が、湾曲スリット２１内に保持される。
【００５０】
このため、容易にＦＰＣ１２が固定された液晶パネル部材２２と共に、この回路基板３を上ケース１５と下ケース１６とを合わせた筐体２０内に、前記ＦＰＣ１２のこじれ等による剥離を気にせずに収納出来、組み付け性が良好である。
【００５１】
以上、この発明の実施の形態を図面により詳述してきたが、具体的な構成は、この実施の形態に限らず、この発明の要旨を逸脱しない範囲の設計の変更等があってもこの発明に含まれる。
【００５２】
例えば、前記実施の形態の液晶モジュール構造では、可撓性ケーブル部材として、ＦＰＣ１２を用いたものを示して説明してきたが、特にこれに限らず、他のフラットケーブル等、可撓性を有して、パネル部材の端縁から延出されるものであるならば、どのような形状、数量、及び材質であってもよい。
【００５３】
更に、前記実施の形態では、前記下ケース本体１６ａの一側辺１６ｄに、上ケース１５の内側壁面１５ｂの内側に位置するように、合わせ面１６ｃが形成されているが、特にこれに限らず、例えば、下ケース１６が、前記液晶パネル部材２を照明する照光を導く導光部材（ガイドライト）を有し、この導光部材の一部で、前記合わせ面を形成するように構成されていてもよい。
【００５４】
このように、前記下ケース１６に設けられた前記液晶パネル部材２２を照明する照光を導く導光部材の一部によって、前記合わせ面を形成することにより、別途、下ケース１６に合わせ面を構成する部分や、或いは別部材を設ける必要が無く、部品点数の増大を抑制できる。
【００５５】
また、前記上ケース１５が蓋部材（アッパハウジング）である場合、前記下ケース１６をシェード部材（ロワハウジング）で構成したり、或いは下ケース１６の一部に装着されて一体となる導光部材を有して、下ケースが構成されるものであってもよく、上ケースと下ケースとが合わせられるものであるならば、上ケース及び下ケースの形状、数量、組み合わせ順序、及び材質が特に限定されるものではない。
【図面の簡単な説明】
【００５６】
【図１】本発明の実施の形態に係る液晶モジュール構造で、図２中Ａ−Ａ線に沿った位置での要部の断面図である。
【図２】実施の形態の液晶モジュール構造で、車両のメータ装置等に用いる液晶モジュールの構成を示す斜視図である。
【図３】一般的な液晶モジュールで、端縁に、ＦＰＣを接着した構成を説明する一部断面斜視図である。
【図４】従来例の液晶モジュール構造で、図２中Ａ−Ａ線に沿った位置に相当する位置での要部の断面図である。
【符号の説明】
【００５７】
１２                      ＦＰＣ（可撓性ケーブル部材）
１２ａ                    一端
１５                      上ケース
１５ａ                    一側辺
１５ｂ                    内側壁面
１６                      下ケース
１６ａ                    下ケース本体
２０                      筐体
２１                      湾曲スリット
２１ａ                    位置規制部
２１ｂ                    平行区間部
２２                      液晶パネル部材
１００                    液晶モジュール
【図１】
2006215438.tif 000003
【図２】
2006215438.tif 000004
【図３】
2006215438.tif 000005
【図４】
2006215438.tif 000006